(57)【要約】      （修正有）【課題】軸受ハウジングとタービン流入ハウジングとの間における気密接続を確実にすると同時に、ターボ過給機を効果的に冷却する。【解決手段】タービン流入ハウジング（１０）が、ラジアル方向内壁（１３）とラジアル方向外壁（１４）とラジアル方向中間壁（１５）とを備えており、ラジアル方向内壁（１３）が、ラジアル方向中間壁（１５）の反対側において、排ガス流ダクト（１２）の境界を形成しており、ラジアル方向外壁（１４）とラジアル方向中間壁（１５）との間には、冷却水チャネル（１６）が形成されている。軸受ハウジング（９）が、ラジアル方向内壁（１３）の領域に至るまで延在しており、軸受ハウジング（９）に形成されている冷却水チャネル（１７）が、タービン流入ハウジング（１０）のラジアル方向内壁（１３）を囲んでおり、軸受ハウジング（９）が、ラジアル方向内壁（１３）の領域に至るまで延在している。【選択図】図２
2018179001.tif 000002
【特許請求の範囲】
【請求項１】
ターボ過給機（１）であって、
第１の媒体を膨張させるためのタービン（２）であって、タービン流入ハウジング（１０）を具備するタービンハウジング（４）とタービンロータ（５）とを備えている前記タービン（２）と、
前記第１の媒体の膨張の際に前記タービン（２）の内部で抽出されるエネルギを利用することによって、第２の媒体を圧縮するための圧縮機（３）であって、圧縮機ハウジング（６）と、シャフト（８）を介して前記タービンロータ（５）に結合されている圧縮機ロータ（７）と、を備えている前記圧縮機（３）と、
前記タービンハウジング（４）と前記圧縮機ハウジング（６）との間に配置されている軸受ハウジング（９）であって、前記タービンハウジング（４）と前記圧縮機ハウジング（６）との両方が、前記軸受ハウジング（９）に接続されている、前記軸受ハウジング（９）と、
を備えている前記ターボ過給機（１）において、
前記タービン流入ハウジング（１０）が、ラジアル方向内壁（１３）とラジアル方向外壁（１４）とラジアル方向中間壁（１５）とを備えており、前記ラジアル方向内壁（１３）が、前記ラジアル方向中間壁（１５）の反対側において、排ガス流ダクト（１２）の境界を形成しており、前記ラジアル方向外壁（１４）と前記ラジアル方向中間壁（１５）との間には、前記タービン流入ハウジング（１０）の冷却水チャネル（１６）が形成されており、
前記軸受ハウジング（９）が、アキシアル方向で見ると、前記タービン流入ハウジング（１０）の前記ラジアル方向内壁（１３）の領域に至るまで延在しており、前記軸受ハウジング（９）に形成されている冷却水チャネル（１７）が、アキシアル方向の領域において前記タービン流入ハウジング（１０）の前記ラジアル方向内壁（１３）ひいては前記排ガス流ダクト（１２）を囲んでおり、前記軸受ハウジング（９）が、前記タービン流入ハウジング（１０）の前記ラジアル方向内壁（１３）の領域に至るまでラジアル方向外方に延在していることを特徴とするターボ過給機（１）。
【請求項２】
前記軸受ハウジング（９）が、アキシアル方向で見ると、前記タービン流入ハウジング（１０）の領域内の前記排ガス流ダクト（１２）のアキシアル方向中央部分に至るまで延在しており、アキシアル方向で見ると、前記排ガス流ダクト（１２）の前記アキシアル方向中央部分の領域において、前記ラジアル方向外壁（１４）及び前記ラジアル方向中間壁（１５）を形成している前記タービン流入ハウジング（１０）の一部分に接続されていることを特徴とする請求項１に記載のターボ過給機（１）。
【請求項３】
前記タービン流入ハウジング（１０）が、前記ラジアル方向内壁（１３）を形成している部分と、前記ラジアル方向外壁（１４）及び前記ラジアル方向中間壁（１５）を形成している部分と、を備えており、
前記ラジアル方向内壁（１３）を形成している部分と、前記ラジアル方向中間壁（１５）を形成している部分とが、前記軸受ハウジング（９）の反対側の端部において互いに接続されていることを特徴とする請求項１又は２に記載のターボ過給機（１）。
【請求項４】
前記軸受ハウジング（９）によって形成されている前記冷却水チャネル（１７）が、ラジアル方向外方において前記タービン流入ハウジング（１０）の前記ラジアル方向内壁（１３）を囲んでいる第１の冷却水チャネル部分（２３）と、前記圧縮機ハウジング（６）に面している第２の冷却水チャネル部分（２４）と、を備えていることを特徴とする請求項１〜３のいずれか一項に記載のターボ過給機（１）。
【請求項５】
前記第１の冷却水チャネル部分（２３）と前記第２の冷却水チャネル部分（２４）とがそれぞれ、周方向において環状に形成されており、
前記第１の冷却水チャネル部分（２３）と前記第２の冷却水チャネル部分（２４）とが、前記軸受ハウジング（９）の冷却水導入リブ（２５）を介して、互いに結合されていることを特徴とする請求項４に記載のターボ過給機（１）。
【請求項６】
前記冷却水導入リブ（２５）が、前記第１の冷却水チャネル部分（２３）から前記第２の冷却水チャネル部分（２４）に向かって延在していることを特徴とする請求項５に記載のターボ過給機（１）。
【請求項７】
前記タービン流入ハウジング（１０）のための据付要素（２７）が、前記タービン流入ハウジング（１０）の前記冷却水チャネル（１６）の境界を形成している、前記タービン流入ハウジング（１０）の前記ラジアル方向外壁（１４）に固定されていることを特徴とする請求項１〜６のいずれか一項に記載のターボ過給機（１）。
【請求項８】
前記軸受ハウジング（９）のための据付要素（２８）が、前記軸受ハウジング（９）の前記冷却水チャネル（１７）の境界を形成している、前記軸受ハウジング（９）のラジアル方向外壁（１８）に固定されていることを特徴とする請求項１〜７のいずれか一項に記載のターボ過給機（１）。
【発明の詳細な説明】
【技術分野】
【０００１】
本発明は、ターボ過給機に関する。
【背景技術】
【０００２】
ターボ過給機の基本的な構造は、特許文献１から知られている。ターボ過給機は、第１の媒体を膨張させるためのタービンを備えている。さらに、ターボ過給機は、第２の媒体を圧縮するための、すなわち第１の媒体を膨張させる際にタービンの内部で抽出されたエネルギを利用するための圧縮機を備えている。ターボ過給機のタービンは、タービンハウジングとタービンロータとを備えている。ターボ過給機の圧縮機は、圧縮機ハウジングと圧縮機ロータとを備えている。軸受ハウジングが、タービンのタービンハウジングと圧縮機の圧縮機ハウジングとの間に配置されており、軸受ハウジングは、一方の側においてタービンハウジングに接続されており、他方の側において圧縮機ハウジングに接続されている。シャフトが、軸受ハウジングの内部に取り付けられており、タービンロータは、シャフトを介して、圧縮機ロータに結合されている。
【０００３】
実践から知られているように、タービンのタービンハウジングがタービン流入ハウジングとタービン流出ハウジングとを備えており、タービン流入ハウジングは、高温の排ガスをタービンロータに向かって導く。このために、タービン流入ハウジングは、高温の排ガスをタービンロータに導く際に通過させるための排ガス流ダクトを形成している。実践から既に知られているように、タービン流入ハウジングは、タービン流入ハウジングの内部に導入されている冷却水チャネルによって冷却される。さらに、軸受ハウジングが、軸受ハウジングの内部に導入されている冷却水チャネルによって冷却されることが知られている。
【０００４】
タービンの領域における閉じ込めの安全性を確保すると共に軸受ハウジングとタービン流入ハウジングとの間における気密接続を確実にすると同時に、タービン流入ハウジング及び軸受ハウジングの領域においてターボ過給機を効果的に冷却することは、今日においては困難であることが判明している。
【先行技術文献】
【特許文献】
【０００５】
【特許文献１】独国特許出願公開第１０２０１３００２６０５号明細書
【発明の概要】
【発明が解決しようとする課題】
【０００６】
このような見解に基づいて、本発明の目的は、新しいタイプのターボ過給機を創造することである。
【０００７】
当該目的は、請求項１に記載のターボ過給機によって解決される。
【０００８】
本発明では、タービン流入ハウジングが、ラジアル方向内壁とラジアル方向外壁とラジアル方向中間壁とを備えており、ラジアル方向内壁が、ラジアル方向中間壁の反対側において、排ガス流ダクトの境界を形成しており、ラジアル方向外壁とラジアル方向中間壁との間には、タービン流入ハウジングの冷却水チャネルが形成されている。アキシアル方向で見ると、軸受ハウジングは、タービン流入ハウジングのラジアル方向内壁の領域内に至るまで延在しており、軸受ハウジングに形成されている冷却水チャネルは、アキシアル方向において、タービン流入ハウジングのラジアル方向内壁ひいてはタービン流入ハウジングの排ガス流ダクトを囲んでおり、これにより、軸受ハウジングが、タービンハウジングのラジアル方向内壁の領域内に至るまでラジアル方向外方に延在している。
【０００９】
上述の特徴によって、タービン流入ハウジング及び軸受ハウジングの効果的な冷却が実現される一方、特にタービンの領域における密閉性を実現しつつ、タービン流入ハウジング及び軸受ハウジングが気密性を保った状態で互いに接続されている。
【００１０】
好ましくは、軸受ハウジングが、アキシアル方向で見ると、タービン流入ハウジングの領域内において排ガス流ダクトのアキシアル方向中央部分に至るまで延在しており、アキシアル方向で見ると、排ガス流ダクトのアキシアル方向中央部分の領域において、ラジアル方向外壁及びラジアル方向中間壁を形成しているタービン流入ハウジングの一部分に接続されている。タービン流入ハウジングと軸受ハウジングとの接続点すなわち分割点を、タービン流入ハウジングに形成されている排ガス流出ダクトのアキシアル方向中央部分の領域内に移動させることによって、軸受ハウジングとタービン流入ハウジングとの接続点が、温度変化の影響を受けにくい領域内に移動されるので、接続点の気密性が改善される。さらに、このことは、密閉性を高める。
【００１１】
本発明の優位なさらなる発展形態では、タービン流入ハウジングは、ラジアル方向内壁を形成している部分と、ラジアル方向外壁及びラジアル方向中間壁を形成している部分と、を備えており、ラジアル方向内壁を形成している部分と、ラジアル方向外壁及びラジアル方向中間壁を形成している部分とが、軸受ハウジングの反対側の端部において互いに接続されている。タービン流入ハウジングの２つの部分の接続が、温度変化の影響を受けにくい領域内に移動される。
【００１２】
本発明の優位なさらなる発展形態では、軸受ハウジングに形成されている冷却水チャネルは、ラジアル方向外方においてタービン流入ハウジングのラジアル方向内壁を囲んでいる第１の冷却水チャネル部分と、圧縮機ハウジングに面している第２の冷却水チャネル部分とを備えており、第１の冷却水チャネル部分と第２の冷却水チャネル部分とがそれぞれ、周方向において環状に形成されており、第１の冷却水チャネル部分と第２の冷却水チャネル部分とが、軸受ハウジングの冷却水導入リブを介して互いに結合されており、好ましくは、冷却水導入リブが、第１の冷却水チャネル部分から第２の冷却水チャネル部分に延在している。
【００１３】
これにより、タービン流入ハウジングの効果的な冷却と圧縮機ハウジングの効果的な冷却との両方が、軸受ハウジングの冷却水チャネルを介して実現される。第２の冷却水チャネル部分に向かって延在している冷却水導入リブが、気泡の形成を防止し、これにより冷却効果を高める。さらに、油ドレン孔が、必要に応じて、任意の周方向位置において軸受ハウジングの内部に導入される。これにより、軸受ハウジングを内燃機関の領域に任意の周方向の向きで据え付けることができる。また、タービン流入ハウジングは、軸受ハウジングと共に、任意の周方向の向きで内燃機関に据付又は取り付け可能とされる。
【００１４】
本発明の優位なさらなる発展形態では、タービンハウジングのための据付要素が、タービン流入ハウジングの冷却水チャネルの境界を形成しているタービン流入ハウジングのラジアル方向外壁に固定されており、好ましくは、軸受ハウジングのための据付要素は、軸受ハウジングの冷却水チャネルの境界を形成している軸受ハウジングのラジアル方向外壁に固定されている。タービン流入ハウジングの領域における据付要素と、軸受ハウジングの領域における据付要素とが、軸受ハウジング及びタービン流入ハウジングを内燃機関に任意の周方向の向きで組み付けることを可能とするか、又は促進させる。タービン流入ハウジング及び軸受ハウジングの周方向の向きが自由に選択可能とされるので、タービン流入ハウジングの入口フランジは、任意の位置に向かって自在に回転可能とされる。軸受ハウジングとタービン流入ハウジングは、３６０°の範囲で自由に選択可能な周方向位置に組み付けることができる。
【００１５】
油ドレンを軸受ハウジングの内部に導入することは、軸受ハウジングの所望の向きに依存するが、油ドレンは、上述の軸受ハウジングの冷却水チャネルの構成のために、任意の周方向位置において軸受ハウジングの内部に導入可能とされる。
【００１６】
本発明の好ましいさらなる発展形態は、従属請求項及び以下の説明から理解され得る。本発明の典型的な実施例について、添付図面を参照しつつ詳述するが、本発明は、当該典型的な実施例に限定される訳ではない。
【図面の簡単な説明】
【００１７】
【図１】従来技術に基づくターボ過給機の断面図である。
【図２】軸受ハウジング及びタービン流入ハウジングの領域の、本発明におけるターボ過給機の断面図である。
【図３】一部の構成部品を取り外した状態における図２に表わすタービン流入ハウジングの詳細な斜視図である。
【発明を実施するための形態】
【００１８】
本発明は、ターボ過給機に関する。
【００１９】
ターボ過給機１は、第１の媒体を膨張させるための、特に内燃機関の排ガスを膨張させるためのタービン２を備えている。さらに、ターボ過給機１は、具体的には第１の媒体の膨張の際にタービン２の内部で抽出されるエネルギを利用することによって、第２の媒体を、特に給気を圧縮するための圧縮機３を備えている。
【００２０】
タービン２は、タービンハウジング４とタービンロータ５とを備えている。圧縮機３は、圧縮機ハウジング６と圧縮機ロータ７とを備えている。圧縮機ロータ７は、軸受ハウジング９の内部に取り付けられているシャフト８を介して、タービンロータ５に結合されており、軸受ハウジング９は、タービンハウジング４と圧縮機ハウジング６との間に配置されており、タービンハウジング４と圧縮機ハウジング６との両方に接続されている。
【００２１】
ターボ過給機１のタービン２のタービンハウジング４は、タービン流入ハウジング１０とタービン流出ハウジング１１とを備えている。タービン流入ハウジング１０は、排ガス流ダクト１２を形成しており、高温の排ガスが、排ガス流ダクト１２を介して、タービンロータ５に導かれる。タービンロータ５の領域において膨張された排ガスは、タービンロータ５を出発し、インサート片２９及びタービン流出ハウジング１１を介して、タービン２から排出される。
【００２２】
図２及び図３は、軸受ハウジング９の領域及びタービンハウジング４のタービン流入ハウジング１０の領域における、本発明におけるターボ過給機１の詳細図である。さらに、図２及び図３は、シャフト８を介して互いに接続又は結合されているタービンロータ５及び圧縮機ロータ７を表わす。
【００２３】
タービンハウジング４のタービン流入ハウジング１０は、ラジアル方向内壁１３とラジアル方向外壁１４とラジアル方向中間壁１５とを備えている。従って、タービンハウジング４のタービン流入ハウジング１０は、少なくとも三重壁構造として実現されている。
【００２４】
タービン流入ハウジング１０のラジアル方向内壁１３は、ラジアル方向中間壁１５の反対側において、排ガス流ダクト１２の境界を形成している。タービン流入ハウジング１０のラジアル方向外壁１４とラジアル方向中間壁１５との間に形成されているタービン流入ハウジング１０の冷却水チャネル１６が、軸受ハウジング９の反対側において、アキシアル方向及びラジアル方向外側で排ガス流ダクト１２を囲んでいる。
【００２５】
軸受ハウジング９は、アキシアル方向で見るとタービン流入ハウジング１０のラジアル方向内壁１３の領域に至るまで、好ましくは図２及び図３に表わすように、アキシアル方向で見るとタービン流入ハウジング１０のラジアル方向内壁１３によって境界が形成されている排ガス流ダクト１２のアキシアル方向中間部に至るまで延在している。
【００２６】
軸受ハウジング９に設けられている冷却水チャネル１７は、軸受ハウジング９のラジアル方向外壁１８及びラジアル方向内壁１９によって形成されており、アキシアル方向領域においてタービン流入ハウジング１０のラジアル方向内壁１３を囲んでいる。軸受ハウジング９は、タービン流入ハウジング１０のラジアル方向内壁１３の領域に至るまで、すなわちアキシアル方向で見ると排ガス流ダクト１２のアキシアル方向中央部に至るまで、ラジアル方向外側において延在している。
【００２７】
アキシアル方向で見ると軸受ハウジング９がタービン流入ハウジング１０の領域に至るまで、具体的にはタービン流入ハウジング１０のラジアル方向内壁１３の領域に至るまで延在している当該領域において、軸受ハウジング９のラジアル方向内壁１９は、軸受ハウジング９のラジアル方向外壁８とタービン流入ハウジング１０のラジアル方向内壁１３との間に位置決めされている。
【００２８】
軸受ハウジング９は、具体的には図２に表わす固定手段２０を介して、冷却水チャネル１６を形成するようにラジアル方向外壁１４とラジアル方向中間壁１５とを具備するタービン流入ハウジング１０の当該部分に接続されている。
【００２９】
従って、タービン２のタービンハウジング４のタービン流入ハウジング１０は、少なくとも２つの部分を備えており、第１の部分は、ラジアル方向内壁１３を備えており、第２の部分は、ラジアル方向外壁１４とラジアル方向中間壁１５とを備えている。ラジアル方向内壁１３を具備するタービン流入ハウジング１０の第1の部分は、具体的には軸受ハウジング９の反対側の面又は軸受ハウジング９の反対側の端部において、図２に表わす固定手段２１を介して、ラジアル方向外壁１４とラジアル方向中間壁１５とを具備するタービン流入ハウジング１０の第２の部分に接続されている。
【００３０】
また、ラジアル方向内壁１３を具備するタービン流入ハウジング１０の第１の部分をラジアル方向外壁１４及びラジアル方向中間壁１５を具備するタービン流入ハウジング１０の第２の部分に接続するための固定手段２１は、インサート片２１を、ラジアル方向内壁１３を具備するタービン流入ハウジング１０の第１の部分に組み付けるために利用される。
【００３１】
上述のように、ラジアル方向外壁１４及びラジアル方向中間壁１５を具備するタービン流入ハウジング１０の第２の部分のアキシアル方向長さが、ラジアル方向内壁１３を具備するタービン流入ハウジング１０の第１の部分のアキシアル方向長さより短いので、ラジアル方向外壁１４及びラジアル方向中間壁１５を具備するタービン流入ハウジング１０の第２の部分は、アキシアル方向領域のみで、具体的には軸受ハウジング９の反対側の領域のみで、ラジアル方向内壁１３を具備するタービン流入ハウジング１０の第１の部分をラジアル方向外側において囲んでいる。
【００３２】
軸受ハウジング９に面している隣接するアキシアル方向領域において、冷却水チャネル１７を形成しているラジアル方向外壁１８及びラジアル方向内壁１９を具備する軸受ハウジング９は、タービン流入ハウジング１０のラジアル方向内壁１３をラジアル方向外側において囲んでいる。
【００３３】
タービン流入ハウジング１０のラジアル方向内壁１３と、タービン流入ハウジング１０のラジアル方向中間壁１５と、タービン流入ハウジング１０のラジアル方向中間壁１５に隣接していると共にタービン流入ハウジング１０のラジアル方向内壁１３に隣接している軸受ハウジング９のラジアル方向内壁１９との間には、中空空間２２が形成されている。しかしながら、中空空間２２は、排ガスを供給するが、排ガス流をタービンロータに向かって導くようには利用されない。
【００３４】
軸受ハウジング９に形成されている冷却水チャネル１７は、所定のアキシアル方向領域においてラジアル方向外側でタービン流入ハウジング１０のラジアル方向内壁１３を囲んでいる第１の冷却水チャネル部分２３と、圧縮機３又は圧縮機ハウジング６に面している第２の冷却水チャネル部分２４とを備えている。軸受ハウジング９の冷却水チャネル１７の２つの冷却水チャネル部分２３，２４は、周方向において周囲に又は周方向において環状に且つ周囲に形成されており、軸受ハウジング９の２つの冷却水チャネル部分２３，２４が、複数の周方向位置において、冷却水導入リブ２５を介して互いに結合されている。従って、３つ、４つ、又は５つの冷却水導入リブ２５が、軸受ハウジング９の全周に亘って分散配置されており、軸受ハウジング９の２つの冷却水チャネル部分２３，２４が、冷却水導入リブ２５を介して結合されている。しかしながら、冷却水導入リブ２５の数量は任意とされる。
【００３５】
冷却水導入リブ２５は、タービン流入ハウジング１０を冷却するために利用される軸受ハウジング９の第１の冷却水チャネル部分２３から、圧縮機ハウジング６を冷却するために利用される第２の冷却水チャネル部分２４に向かうように構成されている。これにより、冷却水チャネル１７の領域における気泡の形成が防止されるので、軸受ハウジング９の補助によって、圧縮機ハウジング６又は圧縮機ロータ７の領域及びタービン流入ハウジング１０又はタービンロータ５の領域において、効果的な冷却を実現することができる。
【００３６】
軸受ハウジング９及びタービン流入ハウジング１０を上述のように構成することによって、タービン２の領域において、効果的な冷却のみならず密閉度を高めることができる。軸受ハウジング９とタービン流入ハウジング１０との接続点は、排ガス流ダクト１２のアキシアル方向中間の領域に向かってラジアル方向外側に移動されるので、タービン流入ハウジング１０と軸受ハウジング９との間における熱的誘導に起因する不慮の相対的な温度遷移が生じる恐れがない。従って、軸受ハウジング９とタービン流入ハウジング１０とは気密に接続されている。
【００３７】
さらに、軸受ハウジング９及びタービン流入ハウジング１０を上述のように構成することによって、軸受ハウジング９及びタービン流入ハウジング１０は、軸受ハウジング９及びタービン流入ハウジング１０の任意の周方向位置で、すなわち３６０°の範囲のうち任意の周方向位置で、内燃機関の領域に据付可能とされる。特に軸受ハウジング９の冷却水導入リブ２５が上述のように構成されているので、組立位置では軸受ハウジング９から油を排出するために下方に方向づけられている油ドレン２６は、軸受ハウジング９の任意の周方向位置において、冷却水導入リブ２５に導入可能とされる。
【００３８】
軸受ハウジング９から排出される油は、特にシャフト８の少なくとも１つの軸受を潤滑及び／又は冷却するために利用される。図３に表わす軸受ハウジング９の油リングチャンバ２７は、シャフト８の軸受又は軸受それぞれを潤滑及び／又は冷却するために、外部から配管３０を介して、加圧された潤滑油又は冷却油を供給することができる。このような油は、シャフト８の軸受又は軸受それぞれを介して導入されるが、油ドレン２６を介して軸受ハウジング９から排出可能とされる。
【００３９】
軸受ハウジング９及びタービン流入ハウジング１０を、ひいてはターボ過給機１を内燃機関に組み付けるために、据付要素２７，２８それぞれが、タービン流入ハウジング１０及び軸受ハウジング９の両方に作用している。図２に表わす典型的な実施例では、据付要素２７，２８は、Ｌ字状の断面から成る据付脚部として形成されている。第１の据付要素２７は、タービン流入ハウジング１０に、具体的には冷却水チャネル１６の境界を形成しているタービン流入ハウジング１０のラジアル方向外壁１４に固定されている。一方、第２の据付要素２８は、軸受ハウジング９に、具体的には冷却水チャネル１７の境界を形成している軸受ハウジング９の冷却水チャネル１７のラジアル方向外壁１９に固定されている。ここで、図２に表わす装置を直立した状態で内燃機関に組み付けるために、軸受ハウジング９及びタービン流入ハウジング１０が下方に突出するように軸受ハウジング９及びタービン流入ハウジング１０を周方向に方向づけた状態で、据付要素２７，２８は、軸受ハウジング９及びタービン流入ハウジング１０に組み付け可能とされる。
【００４０】
従って、本発明におけるターボ過給機の場合には、軸受ハウジング９の冷却水チャネル１７が、タービン流入ハウジング１０の領域内に延在しており、排ガス流ダクト１２とタービン流入ハウジング１０のラジアル方向内壁１３との周りに部分的に引き込まれている。概略的には、軸受ハウジング９とタービン流入ハウジング１０との間における分割線又は接続点は、排ガス流ダクト１２のアキシアル方向中央の領域の内部に、又は排ガス流ダクト１２の境界を形成しているタービン流入ハウジング１０のラジアル方向内壁１３の領域の内部に移動される。軸受ハウジング９の反対側では、同様に冷却水チャネル１６を具備するタービン流入ハウジング１０の一部、すなわちタービン流入ハウジング１０の冷却水チャネル１６が続いている。一方、ラジアル方向内壁１３を具備するタービン流入ハウジング１０の一部と、タービン流入ハウジング１０の冷却水チャネル１６を具備するタービン流入ハウジング１０の一部とが、軸受ハウジング９の反対側において互いに接続されている。軸受ハウジング９の冷却水チャネル１７の冷却水セクション２３は、タービン流入ハウジング１０の領域を冷却するために利用され、冷却水導入リブ２５を介して、圧縮機の領域を冷却するために利用される冷却水チャネル部分２４に結合されている。
【符号の説明】
【００４１】
１  ターボ過給機
２  タービン
３  圧縮機
４  タービンハウジング
５  タービンロータ
６  圧縮機ハウジング
７  圧縮機ロータ
８  シャフト
９  軸受ハウジング
１０  タービン流入ハウジング
１１  タービン流出ハウジング
１２  排ガス流ダクト
１３  （タービン流入ハウジング１０の）ラジアル方向内壁
１４  （タービン流入ハウジング１０の）ラジアル方向外壁
１５  （タービン流入ハウジング１０の）ラジアル方向中間壁
１６  冷却水チャネル
１７  冷却水チャネル
１８  （軸受ハウジング９の）ラジアル方向外壁
１９  （軸受ハウジング９の）ラジアル方向内壁
２０  固定手段
２１  固定手段
２２  中空空間
２３  冷却水チャネル部分
２４  冷却水チャネル部分
２５  冷却水流通リブ
２６  油ドレン
２７  据付要素（油リングチャンバ）
２８  据付要素
２９  インサート片
３０  配管
【図１】
2018179001.tif 000003
【図２】
2018179001.tif 000004
【図３】
2018179001.tif 000005
【外国語明細書】
2018179001000001.pdf